(57)【要約】【課題】  換気窓装置の健全性確認を正しく行い得る信頼性の高いエレベータ装置及びその制御方法を提案する。【解決手段】  乗りかごに通気口としての換気用開口部が設けられたエレベータ装置及びその制御方法であって、換気用開口部を閉塞又は開放する換気窓開閉用扉を有する換気窓装置と、換気窓装置の健全性を確認するために、換気窓開閉用扉を開閉させるよう換気窓装置を制御する制御装置とを設け、制御装置が、乗りかごのドアが閉じている所定状態のときに、換気窓装置に換気窓開閉扉を開閉させるようにして、換気窓装置の健全性を確認するようにした。【選択図】  図４
2020193096.tif 000002
【特許請求の範囲】
【請求項１】
乗りかごに通気口としての換気用開口部が設けられたエレベータ装置において、
前記乗りかごに設けられ、前記換気用開口部を閉塞又は開放する換気窓開閉用扉を有する換気窓装置と、
前記換気窓装置の健全性を確認するために、前記換気窓開閉用扉を開閉させるよう前記換気窓装置を制御する制御装置と
を備え、
前記制御装置は、
前記乗りかごのドアが閉じている所定状態のときに、前記換気窓装置に前記換気窓開閉扉を開閉させるようにして、前記換気窓装置の健全性を確認する
ことを特徴とするエレベータ装置。
【請求項２】
前記所定状態は、
前記乗りかごがドアを閉じたままいずれかのフロアに着床している待機状態が予め設定された第１の時間を超過した状態である
ことを特徴とする請求項１に記載のエレベータ装置。
【請求項３】
前記所定状態は、
最後に前記換気窓装置の健全性を確認してから所定の第２の時間が超過した場合であって、前記乗りかごがいずれかのフロアに着床する直前の状態である
ことを特徴とする請求項１に記載のエレベータ装置。
【請求項４】
前記制御装置は、
前記乗りかごが前記ドアを閉じたままいずれかのフロアに着床した待機状態が所定の第１の時間を超過したタイミング、又は、最後に前記換気窓装置の健全性を確認してから前記第１の時間よりも長い所定の第２の時間だけ経過するタイミングを、前記換気窓装置の健全性を確認すべきタイミングとして検出する健全性確認タイミング発生部と、
前記健全性確認タイミング発生部により、最後に前記換気窓装置の健全性を確認してから前記第２の時間だけ経過するタイミングが検出された場合に、前記乗りかごが次のフロアに着床する直前のタイミングを検出する状態検出部と、
前記乗りかごが前記ドアを閉じたままいずれかのフロアに着床した前記待機状態が前記第１の時間を超過したことを前記健全性確認タイミング発生部が検出したタイミング、又は、前記状態検出部により検出された前記乗りかごが次のいずれかのフロアに着床する直前のタイミングで、前記換気窓開閉用扉を開閉するよう前記換気窓装置を制御する換気窓開閉動作部と、
前記換気窓開閉扉の開閉が正常に行われたか否かを確認する動作確認部と
を備えることを特徴とする請求項１に記載のエレベータ装置。
【請求項５】
乗りかごに通気口としての換気用開口部が設けられたエレベータ装置の制御方法であって、
前記エレベータ装置は、
前記乗りかごに設けられ、前記換気用開口部を閉塞又は開放する換気窓開閉用扉を有する換気窓装置と、
前記換気窓装置の健全性を確認するために、前記換気窓開閉用扉を開閉させるよう前記換気窓装置を制御する制御装置と
を有し、
前記制御装置が、前記乗りかごのドアが閉じている所定状態を検出する第１のステップと、
前記制御装置が前記所定状態のときに、前記換気窓装置に前記換気窓開閉扉を開閉させるようにして、前記換気窓装置の健全性を確認する第２のステップと
を備えることを特徴とするエレベータ装置の制御方法。
【請求項６】
前記所定状態は、
前記乗りかごがドアを閉じたままいずれかのフロアに着床している待機状態が予め設定された第１の時間を超過した状態である
ことを特徴とする請求項５に記載のエレベータ装置の制御方法。
【請求項７】
前記所定状態は、
最後に前記換気窓装置の健全性を確認してから所定の第２の時間が超過した場合であって、前記乗りかごがいずれかのフロアに着床する直前の状態である
ことを特徴とする請求項５に記載のエレベータ装置の制御方法。
【請求項８】
前記第１のステップにおいて、前記制御装置は、
前記乗りかごが前記ドアを閉じたままいずれかのフロアに着床した待機状態が所定の第１の時間を超過した状態、又は、最後に前記換気窓装置の健全性を確認してから前記第１の時間よりも十分に長い所定の第２の時間だけ経過した状態を、前記所定状態として検出し、
前記第２のステップにおいて、前記制御装置は、
前記乗りかごが前記ドアを閉じたままいずれかのフロアに着床した前記待機状態が前記第１の時間を超過したこと検出した場合、又は、最後に前記換気窓装置の健全性を確認してから前記第２の時間だけ経過し、かつ前記乗りかごが次のフロアに着床する直前のタイミングを検出した場合に、前記換気窓開閉用扉を開閉するよう前記換気窓装置を制御すると共に、前記換気窓開閉扉の開閉が正常に行われたか否かを確認する
ことを特徴とする請求項５に記載のエレベータ装置の制御方法。
【発明の詳細な説明】
【技術分野】
【０００１】
本発明はエレベータ装置及びその制御方法に関し、例えば、超高速エレベータ装置に適用して好適なものである。
【背景技術】
【０００２】
近年、建物の高層化に伴い、エレベータ装置の超高速化が進められている。このような高速化されたエレベータ装置（以下、これを超高速エレベータ装置と呼ぶ）では、単位時間での気圧変化や、トータルでの気圧変化量が大きく、大きな気圧変動によって乗客が耳閉感を感じる場合が多い。
【０００３】
このため超高速エレベータ装置に対して、このような耳閉感を軽減すべく、乗りかごの外部の気圧に応じて乗りかごの内部気圧を制御する気圧制御装置を搭載することが従来から提案されている。ここで、乗りかごの内部気圧を最適な状態に保つためには、乗りかご内の機密性を高める必要がある。
【０００４】
しかしながら、乗りかごの機密性を高めた場合、停電などの非常時に乗りかご内の換気ができなくなり、乗りかごに閉じ込められた乗客が酸欠となるおそれがある。そこで、従来、超高速エレベータ装置には、通常時は閉状態にあるものの、非常時に自動開放する換気窓が設けられている。
【０００５】
なお特許文献１には、かかる換気窓に関連して、停電時及び電気復帰時（通常の正規電源供給時）に自動的に換気窓開閉部材を開閉動作させるための構造が開示されている。また特許文献２には、予め設定した換気窓故障チェック周期を超えても換気窓装置の開放動作がないときに換気窓装置に開放指令を与え、この開放指令によって換気窓装置の開放が行われたかどうかによって換気窓装置の故障又は正常を検出することが開示されている。
【先行技術文献】
【特許文献】
【０００６】
【特許文献１】特開２０１１−５７４１４号公報
【特許文献２】特開２０１８−４３８０２号公報
【発明の概要】
【発明が解決しようとする課題】
【０００７】
ところで、一般的に高層ビルでは、温度差や気圧差に起因してエレベータ装置の乗りかごが昇降する昇降路内に上昇気流が発生するいわゆるドラフト現象が発生する。このため特許文献２のように換気窓装置の健全性確認を周期的に無作為のタイミングで行うと、ドラフト現象の影響を受けて換気窓の扉が開閉し難くなる場合があり、かかる健全性確認を正しく行うことができないことがあった。
【０００８】
本発明は以上の点を考慮してなされたもので、換気窓装置の健全性確認を正しく行い得る信頼性の高いエレベータ装置及びその制御方法を提案しようとするものである。
【課題を解決するための手段】
【０００９】
かかる課題を解決するため本発明においては、乗りかごに通気口としての換気用開口部が設けられたエレベータ装置において、前記乗りかごに設けられ、前記換気用開口部を閉塞又は開放する換気窓開閉用扉を有する換気窓装置と、前記換気窓装置の健全性を確認するために、前記換気窓開閉用扉を開閉させるよう前記換気窓装置を制御する制御装置とを設け、前記制御装置が、前記乗りかごのドアが閉じている所定状態のときに、前記換気窓装置に前記換気窓開閉扉を開閉させるようにして、前記換気窓装置の健全性を確認するようにした。
【００１０】
また本発明においては、乗りかごに通気口としての換気用開口部が設けられたエレベータ装置の制御方法であって、前記エレベータ装置は、前記乗りかごに設けられ、前記換気用開口部を閉塞又は開放する換気窓開閉用扉を有する換気窓装置と、前記換気窓装置の健全性を確認するために、前記換気窓開閉用扉を開閉させるよう前記換気窓装置を制御する制御装置とを有し、前記制御装置が、前記乗りかごのドアが閉じている所定状態を検出する第１のステップと、前記制御装置が前記所定状態のときに、前記換気窓装置に前記換気窓開閉扉を開閉させるようにして、前記換気窓装置の健全性を確認する第２のステップとを設けるようにした。
【００１１】
本発明のエレベータ装置及びその制御方法によれば、換気窓装置の換気窓開閉扉の開閉動作に対するドラフト現象による外乱を低減しながら、定期的にかつ計画的に換気窓装置の健全性の確認を正しく行うことができる。
【発明の効果】
【００１２】
本発明によれば、信頼性の高いエレベータ装置を実現することができる。
【図面の簡単な説明】
【００１３】
【図１】本実施の形態によるエレベータ装置の要部の構成を示す概念図である。
【図２】制御装置の論理構成を示すブロック図である。
【図３】換気窓装置の詳細構成を示す断面図である。
【図４】換気窓装置健全性確認処理の処理手順を示すフローチャートである。
【発明を実施するための形態】
【００１４】
以下図面について、本発明の一実施の形態を詳述する。
【００１５】
（１）本実施の形態によるエレベータ装置の構成
図１において、１は全体として本実施の形態によるエレベータ装置を示す。このエレベータ装置１は、高層ビルに設置される超高速エレベータ装置であり、乗りかご２、制御盤３及び制御装置４を備えて構成される。
【００１６】
乗りかご２は、４方向の各側面をそれぞれ形成する側面パネル１０Ａと、天井部を構成する天井パネル１０Ｂと、床部を構成する床パネル１０Ｃとを備えた箱状形状を有し、例えば、昇降路の最上部に設置された図示しない巻上機と主ロープを介して係合し、巻上機が主ロープを巻き上げ又は巻き下げることにより昇降路内を昇降する。
【００１７】
乗りかご２には、前面側の側面パネル１０Ａに、矢印γ１方向に開閉自在に配設されたドア１１が取り付けられている。またドア１１と、乗りかご２の前面側の側面パネル１０Ａとの間には隙間を塞ぐための密封シールが配置されており、これによりドア１１が閉じた状態で乗りかご２内の機密性を保つことができるようになされている。このため乗りかご２の上側にはブロワ１２が設置されており、このブロワ１２によって乗りかご２の外部の空気を乗りかご２内部に圧送することで乗りかご２内部の気圧を制御できるようになされている。
【００１８】
また乗りかご２の側面側には、給電が断たれた非常時に乗りかご２内の換気を行うための換気窓装置１３が設けられている。換気窓装置１３は、外側が機密性の高い外ケース１４により覆われており、乗りかご２の側面側の側面パネル１０Ａに通風口として設けられた後述の換気用開口部ｋ（図３）を開放又は閉塞する換気窓開閉扉１５を備えて構成される。これにより非常時にブロワ１２への給電が断たれた場合においても換気窓開閉扉１５を開扉することにより乗りかご２内に外部の空気を取り込むことができ、かくして乗りかご２内に閉じ込められた乗客が酸欠等になることを未然に防止し得るようになされている。
【００１９】
制御盤３は、エレベータ装置１の運行を制御する制御装置であり、例えば、昇降路の上側に設けられた機械室に設置される。制御盤３は、乗りかご２や昇降路内に設置されたセンサにより乗りかご２の位置を常に認識しており、各フロアのエレベータホールに設置された操作盤や乗りかご２内に設置された操作盤に対する乗客の操作等に応じて乗りかご２を必要なフロアに着床させるよう巻上機を制御する。
【００２０】
また制御装置４は、乗りかご２に設けられた換気窓装置１３の換気窓開閉扉１５の開閉を制御する制御装置であり、ＣＰＵ２０及びメモリ２１と、第１及び第２のタイマ２２，２３とを備えたコンピュータ構成を有する。メモリ２１には、換気窓装置制御プログラム２４が格納されており、ＣＰＵ２０がこの換気窓装置制御プログラム２４を実行することにより必要時に換気窓開閉扉１５を開閉させるよう換気窓装置１３を制御する。
【００２１】
図２は、制御装置４の論理構成を示す。この図２に示すように、制御装置４は、制御部３０、通常構成部３１及び健全性確認部３２を備えて構成される。これら制御部３０、通常構成部３１及び健全性確認部３２は、すべてＣＰＵ２０（図１）が換気窓装置制御プログラム２４（図１）を実行することにより具現化される機能部である。
【００２２】
制御部３０は、乗りかご２（図１）の現在位置や、乗りかご２のドア１１の開閉状態、及び、非常事態の有無などの情報を制御盤３から適宜取得し、取得したこれらの情報に基づいて、通常構成部３１及び健全性確認部３２を制御する機能部である。制御部３０は、例えば、非常時に制御盤３からその旨の情報が与えられた場合には、換気窓装置１３の換気窓開閉扉１５（図１）を開扉するよう通常構成部３１に指示を与える。
【００２３】
通常構成部３１は、通常時や非常時における換気窓装置１３の動作を制御する機能部である。通常構成部３１は、通常時には換気窓開閉扉１５が閉扉状態を維持するよう換気窓装置１３を制御する一方、非常時には上述のように制御部３０から与えられる指示に従って換気窓開閉扉１５を開扉するよう換気窓装置１３を動作させる。
【００２４】
健全性確認部３２は、換気窓装置１３の健全性を適宜確認する機能（以下、これを換気窓装置健全性確認機能と呼ぶ）を有する機能部である。実際上、健全性確認部３２は、例えば、乗りかご２がドア１１を閉じたままいずれかのフロアに長時間着床したままの待機状態が所定の第１の時間を超過したときや、最後に換気窓装置１３の健全性を確認してから第１の時間よりも十分に長い所定の第２の時間だけ経過した場合であって、乗りかご２がいずれかのフロアに着床する直前のタイミングで、換気窓開閉扉１５を開閉させるよう換気窓装置１３を動作させることにより換気窓装置１３の健全性を確認する。
【００２５】
このような換気窓装置健全性確認機能を実現するための手段として、健全性確認部３２には、健全性確認タイミング発生部３３、エレベータ状態検出部３４、換気窓開閉動作部３５、動作確認部３６及び異常監視部３７が設けられている。
【００２６】
健全性確認タイミング発生部３３は、換気窓装置１３の健全性の確認をするタイミングを発生させる機能を有する。具体的に、健全性確認タイミング発生部３３は、乗りかご２がいずれかのフロアに着床してからの経過時間を第１のタイマ２２（図１）を用いて計測し、乗りかご２がドア１１を閉じたままいずれかのフロアに着床した待機状態が所定の第１の時間Ｔ１（例えば10分）だけ継続した場合に、これを換気窓開閉動作部３５に通知する。また健全性確認タイミング発生部３３は、最後に換気窓装置１３の健全性を確認してからの経過時間を第２のタイマ２３（図１）を用いて計測し、当該経過時間が第１の時間Ｔ１よりも十分に長い所定の第２の時間Ｔ２（例えば１時間）以上となった場合に、これをエレベータ状態検出部３４に通知する。
【００２７】
エレベータ状態検出部３４は、最後に換気窓装置１３の健全性を確認してから第２の時間Ｔ２だけ経過したことが健全性確認タイミング発生部３３から通知された場合に、制御部３０を介して制御盤３から現在のエレベータ装置１の状態を取得する。そしてエレベータ状態検出部３４は、取得したエレベータ装置１の現在の状態に基づいて、乗りかご２が次にいずれかのフロアに着床する直前のタイミングを算出し、そのタイミングで換気窓装置１３の換気窓開閉扉１５を開閉動作させるよう換気窓開閉動作部３５に指示を与える。
【００２８】
換気窓開閉動作部３５は、乗りかご２の待機時間が第１の時間Ｔ１だけ継続したことが健全性確認タイミング発生部３３から通知され、又は、換気窓装置１３の換気窓開閉扉１５を所定タイミングで開閉動作させるようエレベータ状態検出部３４から指示が与えられると、換気窓装置１３を制御して換気窓開閉扉１５を指示されたタイミングで開閉させる。
【００２９】
動作確認部３６は、換気窓開閉動作部３５の制御のもとに行われた換気窓装置１３の換気窓開閉扉１５の開閉動作を監視し、当該開閉動作が正常に行われたか否かを判定する。そして動作確認部３６は、換気窓開閉扉１５の開閉動作の異常を検出した場合には、その旨の異常検出通知を異常監視部３７に出力する。
【００３０】
異常監視部３７は、動作確認部３６から異常検出通知が与えられると、例えば、制御部３０を介して制御盤３に対して換気窓開閉扉１５の開閉動作に異常が生じた旨の異常検出通知を送信する。この結果、制御盤３は、この異常検出通知に基づいて、乗りかご２を直近のフロアに緊急着床させるなどの所定の異常検出時の制御処理を実行する。
【００３１】
（２）換気窓装置の具体的構成例
図３は、図１の矢印Ａ方向から見た換気窓装置１３の具体的構成例を示す断面図である。換気窓装置１３は、給電が断たれた非常時に換気用開口部ｋを開放又は閉塞する構成として、軸４０を中心として回転自在に配設された換気窓開閉扉１５と、換気窓開閉扉１５を閉動作させるための閉用ソレノイド４１と、閉用ソレノイド４１を乗りかご２の側面パネル１０Ａに固定する筐体４２と、閉用ソレノイド４１の開閉軸４３の一端部及び換気窓開閉扉１５間を連結するリンク機構４４と、筐体４２及び開閉軸４３間に設けられ、開閉軸４３の他端部に設けられた係合部４３Ａを矢印α２で示す筐体４２から離隔する方向に付勢する圧縮ばね４５とを備えている。
【００３２】
リンク機構４４は、閉用ソレノイド４１の開閉軸４３の直線運動を長穴等を用いて換気窓開閉扉１５の回転運動に変換する。また閉用ソレノイド４１の開閉軸４３は、図３において実線で示したように、閉用ソレノイド４１のオン時には、電磁誘導の磁力によって矢印α３方向に移動することにより換気窓開閉扉１５を矢印β２で示す閉じる方向に回転させる一方、閉用ソレノイド４１のオフ時には、圧縮ばね４５の弾性力によって矢印α２の方向に移動することにより、図３において二点鎖線で示したように、換気窓開閉扉１５を矢印β１で示す開く方向に回転させる。
【００３３】
また換気窓装置１３は、換気窓開閉扉１５による換気用開口部ｋの開扉状態をロックするための機構として、ロック軸４６の一端部を換気窓開閉扉１５と係合させるようにして換気窓開閉扉１５を閉扉状態にロックするロック用ソレノイド４７と、ロック用ソレノイド４７を側面パネル１０Ａに固定する筐体４８と、ロック用ソレノイド４７のロック軸４６及び筐体４８間に設けられ、ロック軸４６の他端側に設けられた係合部４６Ａを矢印α１で示す筐体４８から離隔する方向に付勢する圧縮ばね４９とを備えている。
【００３４】
ロック用ソレノイド４７のロック軸４６は、図３において実線で示したように、ロック用ソレノイド４７のオン時には電磁誘導の磁力によって矢印α４方向に移動することにより閉扉状態にある換気窓開閉扉１５をその状態にロックする一方、ロック用ソレノイド４７のオフ時には、圧縮ばね４９の弾性力によって矢印α１の方向に移動することにより、図３において二点鎖線で示したように、換気窓開閉扉１５のロックを解除した非ロック位置に復帰する。
【００３５】
加えて、換気窓装置１３は、換気窓開閉扉１５の開閉状態に応じてロック用ソレノイド４７及び閉用ソレノイド４１の電源をオン／オフするための作動スイッチ５０を備えている。実際上、作動スイッチ５０は、矢印ω１の方向及びω２の方向に移動自在に設けられ、矢印ω１で示す方向に付勢された可動端子５０Ａと、換気窓開閉扉１５が閉扉状態のときに当該換気窓開閉扉１５により押されて矢印ω１の方向に移動した可動端子５０Ａと接触するように配置された第１の端子５０Ｂと、換気窓開閉扉１５が開扉状態のときに付勢力により矢印ω１の方向に移動した可動端子５０Ａと接触するように配置された第２の端子５０Ｃとから構成される。
【００３６】
そして、閉用ソレノイド４１をオン動作させて換気窓開閉扉１５を閉扉した通常時には、この作動スイッチ５０の可動端子５０Ａが第１の端子５０Ｂと接触することで可動端子５０Ａ及び第１の端子を５０Ｂ経由してロック用ソレノイド４７に駆動電流Ｉ１が供給される。この結果、ロック用ソレノイド４７がオンとなってロック軸４６が矢印α４方向に移動するため換気窓開閉扉１５が閉扉状態にロックされる。
【００３７】
なお、このとき可動端子５０Ａが第２の端子５０Ｃと離隔した状態となるため、閉用ソレノイド４１への給電が行われず、閉用ソレノイド４１はオフとなって、省電力化が図られる。このように閉用ソレノイド４１がオフとなった場合においてもロック用ソレノイド４７のロック軸４６により換気窓開閉扉１５が閉扉状態にロックされているため、換気窓開閉扉１５が開扉することはない。
【００３８】
一方、非常時（断電時）には、ロック用ソレノイド４７への給電が断たれるため、ロック用ソレノイド４７のロック軸４６が圧縮ばね４９の付勢力により図３において二点鎖線の位置にまで後退し、それまでロック用ソレノイド４７により閉扉状態にロックされていた換気窓開閉扉１５が非ロック状態となる。この結果、そのときオフ状態にある閉用ソレノイド４１の開閉軸４３が圧縮ばね４５の弾性力によって二点鎖線の位置にまで後退し、これに伴うリンク機構４４の挙動により換気窓開閉扉１５が矢印β１で示す回転方向に回転して二点鎖線で示す位置まで開扉する。これにより乗りかご２の換気用開口部ｋが開放されて乗りかご２内部の換気が行われる。
【００３９】
なお本実施の形態の場合、換気窓装置１３には、換気窓開閉扉１５の閉扉時に換気窓開閉扉１５及び側面パネル１０Ａ間にパッキン５１が設けられている。このパッキン５１は、閉扉した換気窓開閉扉１５及び側面パネル１０Ａ間の隙間を閉塞するように、側面パネル１０Ａの換気用開口部ｋの周囲に設けられている。これにより換気窓開閉扉１５の閉扉時にパッキン５１が換気窓開閉扉１５の周端縁部に接し、換気窓開閉扉１５と、換気用開口部ｋの周囲の側面パネル１０Ａとの間において乗りかご２の機密状態を保持し得るようになされている。
【００４０】
（３）健全性確認部の具体的な処理内容
次に、換気窓装置１３の健全性の確認に関して制御装置４の健全性確認部３２（図２）により実行される一連の処理（以下、これを換気窓装置健全性確認処理と呼ぶ）の流れについて説明する。
【００４１】
図４は、かかる換気窓装置健全性確認処理の具体的な処理の流れを示す。この換気窓装置健全性確認処理は、エレベータ装置１の運行が開始されると開始され、まず、健全性確認タイミング発生部３３が、第１のタイマ２２（図１）のカウント値に基づいて、乗りかご２がいずれかのフロアに着床してからの経過時間が第１の時間Ｔ１を超過したか否かを判断する（Ｓ１）。
【００４２】
また健全性確認タイミング発生部３３は、この判断で否定結果を得ると第２のタイマ２３（図１）のカウント値に基づいて、最後に換気窓装置１３の健全性を確認してからの経過時間が第２の時間Ｔ２を超過したか否かを判断する（Ｓ２）。
【００４３】
そして健全性確認タイミング発生部３３は、この判断で否定結果を得るとステップＳ１に戻り、この後、ステップＳ１又はステップＳ２で肯定結果を得るまでステップＳ１−ステップＳ２−ステップＳ１のループを繰り返す。
【００４４】
そして健全性確認タイミング発生部３３は、やがてステップＳ２で肯定結果を得た場合には、その旨をエレベータ状態検出部３４に通知し、ステップＳ１で肯定結果を得た場合には、その旨を換気窓開閉動作部３５に通知する。
【００４５】
エレベータ状態検出部３４は、かかる通知が健全性確認タイミング発生部３３から与えられると、制御部３０（図２）を介して制御盤３（図２）からエレベータ装置１の現在の状態を取得し、取得したエレベータ装置１の現在の状態に基づいて、換気窓装置１３の健全性を確認するために換気窓開閉扉１５を開閉させるべきタイミングを算出する（Ｓ３）。
【００４６】
具体的に、エレベータ状態検出部３４は、乗りかご２が次にいずれかのフロアに着床するまでの時間などの情報を制御部３０を介して制御盤３から取得し、取得した情報に基づいて、乗りかご２がそのフロアに着床するまでの間に換気窓装置１３の健全性を確認するための換気窓開閉扉１５の開閉動作を完了させるために当該開閉動作を開始させるべき現時点からの最も遅い時間（以下、これを最終タイミング時間と呼ぶ）を算出する。
【００４７】
また、エレベータ状態検出部３４は、乗りかご２が次にいずれかのフロアに着床するまでの間に換気窓開閉扉１５の開閉動作を完了させることができないと判断した場合には、その次のフロアに着床するまでの間に換気窓装置１３の健全性を確認するための換気窓開閉扉１５の開閉動作を完了させるために当該開閉動作を開始させるべき現時点からの最終タイミング時間を算出する。
【００４８】
そしてエレベータ状態検出部３４は、このようにして算出した最終タイミング時間を換気窓開閉動作部３５に通知する。
【００４９】
換気窓開閉動作部３５は、健全性確認タイミング発生部３３から乗りかご２がいずれかのフロアに着床してからの経過時間が第１の時間Ｔ１を超過した旨の通知が与えられ、又は、エレベータ状態検出部３４から最終タイミング時間が通知されると、乗りかご２がいずれかのフロアに着床する直前のタイミングで換気窓装置１３の換気窓開閉扉１５を開閉動作させる（Ｓ４）。
【００５０】
具体的に、換気窓開閉動作部３５は、例えば、健全性確認タイミング発生部３３から乗りかご２がいずれかのフロアに着床してからの経過時間が第１の時間Ｔ１を超過した旨の通知が与えられた場合には、図３について上述したロック用ソレノイド４７への駆動電流の供給を直ちに停止することによりロック用ソレノイド４７による換気窓開閉扉１５のロックを解除して換気窓開閉扉１５を開扉させ、その後、閉用ソレノイド４１に駆動電流を供給することにより換気窓開閉扉１５を閉扉させる。
【００５１】
また換気窓開閉動作部３５は、エレベータ状態検出部３４から最終タイミング時間が通知された場合には、その最終タイミング時間が経過するタイミングでロック用ソレノイド４７への駆動電流の供給を停止することによりロック用ソレノイド４７による換気窓開閉扉１５のロックを解除して換気窓開閉扉１５を開扉させ、その後、閉用ソレノイド４１に駆動電流を供給することにより換気窓開閉扉１５を閉扉させる。
【００５２】
この際、換気窓開閉動作部３５は、図３について上述した作動スイッチ５０における可動端子５０Ａの第１の端子５０Ｂや第２の端子５０Ｃへの接触を監視しており、その後、換気窓開閉扉１５が正常に開閉したか否かを判断する（Ｓ５）。
【００５３】
そして換気窓開閉動作部３５は、この判断で肯定結果を得るとその旨を健全性確認タイミング発生部３３に通知する。かくして、このとき健全性確認タイミング発生部３３は、ステップＳ１以降の処理を実行する。これにより、これ以降、ステップＳ１〜ステップＳ５の処理が繰り返されることになる。
【００５４】
これに対して、換気窓開閉動作部３５は、ステップＳの判断で否定結果を得ると、換気窓開閉扉１５の開閉に異常が発生したことを異常監視部３７に通知する。そして異常監視部３７は、かかる通知が与えられると、所定の異常検出処理を実行する。具体的に、異常監視部３７は、換気窓開閉扉１５の開閉に異常が発生したことを動作確認部３６から通知されると、その旨の異常検出通知を制御部３０を介して制御盤３に送信する。この結果、制御盤３は、上述のように乗りかご２を直近のフロアに緊急着床させるなどの所定の異常検出時の制御処理を実行する。
【００５５】
また、このとき健全性確認部３２は、この後、この換気窓装置健全性確認処理を終了する。これにより、この後、換気窓装置１３のメンテナンスが行われるまでは、換気窓装置１３の健全性の確認が行われず、またエレベータ装置１自体も運行が停止される。
【００５６】
（４）本実施の形態の効果
以上のように本実施の形態のエレベータ装置１では、乗りかご２がドア１１を閉じた状態でいずれかのフロアに長時間着床したままの待機状態が第１の時間Ｔ１を超過し、又は、そのような長時間の待機状態が第１の時間Ｔ１よりも十分に長い第２の時間Ｔ２を超過した場合であって、乗りかご２がいずれかのフロアに着床する直前のタイミングで換気窓開閉扉１５を開閉させるよう換気窓装置１３を動作させることにより、換気窓装置１３の健全性を確認する。
【００５７】
この場合において、超高速エレベータ装置では、かかる換気窓装置１３の健全性確認を無作為なタイミングで行うドラフト現象の影響を受けて換気窓開閉扉が開閉し難くなり、換気窓装置１３の健全性を正しく確認できない場合がある。特に、乗りかご２のドア１１（図１）が開いているときに換気窓装置１３の換気窓開閉扉１５を開けると、エレベータホール、乗りかご２の出入口、乗りかご２内部、換気用開口部ｋ及び昇降路という経路で風が流れてしまうため、換気窓開閉扉１５が閉じられなくなることがある。
【００５８】
この点について、本実施の形態のエレベータ装置１では、上述のように乗りかご２のドア１１が閉じているタイミングで換気窓装置１３の健全性を確認するため、ドラフト現象の影響を受けることなく、換気窓装置１３の健全性を正しく確認することができる。また本エレベータ装置１では、乗りかご２が着床中又は着床前の低速走行中に換気窓開閉扉１５を開閉動作させるため、乗りかご２が高速で昇降しているときに比べてドラフトの影響を格段的に低減した状態で換気窓装置１３の健全性を確認することができる。
【００５９】
加えて、本エレベータ装置１では、かかるタイミングで換気窓装置１３の健全性を確認するため、長時間待機が発生しない稼動頻度の高い日中でも乗りかご２の昇降時の着床間際にかかる確認を行うことができ、定期的に又は計画性をもって換気窓装置１３の健全性を確認することができる。
【００６０】
さらに、例えば乗りかご２の出発間際に換気窓装置１３の健全性の確認を行うものとした場合、ちょっとした不備でも乗りかご２の出発が抑止される可能性があるのに対して、本実施の形態のように乗りかご２が長時間待機中又は走行時の着床間際のタイミングであればエレベータ装置１の運転効率を低下させることなく、換気窓装置１３の異常チェックを行うことができる。
【００６１】
（５）他の実施の形態
なお上述の実施の形態においては、本発明を超高速エレベータ装置に適用するようにした場合について述べたが、本発明はこれに限らず、乗りかごに通気口としての換気用開口部が設けられた種々のエレベータ装置に広く適用することができる。
【００６２】
また上述の実施の形態においては、換気窓装置１３を図３のように構成するようにした場合について述べたが、本発明はこれに限らず、この他種々の構成を広く適用することができる。
【００６３】
さらに上述の実施の形態においては、制御装置４の健全性確認部３２（図２）をソフトウェア構成とする場合について述べたが、本発明はこれに限らず、その一部又は全部を専用のハードウェア構成とするようにしてもよい。
【産業上の利用可能性】
【００６４】
本発明は、乗りかごに通気口としての換気用開口部が設けられたエレベータ装置に広く適用することができる。
【符号の説明】
【００６５】
１……エレベータ装置、２……乗りかご、３……制御盤、４……制御装置、１３……換気窓装置、１５……換気窓開閉扉、２０……ＣＰＵ、２２，２３……タイマ、２４……換気窓装置制御プログラム、３０……制御部、３２……健全性確認部、３３……健全性確認タイミング発生部、３４……エレベータ状態検出部、３５……換気窓開閉動作部、３６……動作確認部、３７……異常監視部、ｋ……換気用開口部。
【図１】
2020193096.tif 000003
【図２】
2020193096.tif 000004
【図３】
2020193096.tif 000005
【図４】
2020193096.tif 000006